(57)【特許請求の範囲】
【請求項１】
一方の端部にケーブルを内部に受容するためのケーブル入口を画定し、反対側の端部にヒューズ入口開口を画定する概して細長い絶縁性成形ゴムスリーブを含むハウジングと、
前記スリーブにある角度で接合され、外部装置との対合インターフェースを画定するエルボインターフェースと、
一端が前記スリーブ内に受容された前記ケーブルの導体に電気的に接続され、他端が前記エルボインターフェースに電気的に接続されているヒューズと、
前記スリーブの内部に配置され、前記ヒューズを内部で摺動自在に支持し、前記ケーブル導体の接続位置から前記エルボインターフェースまで延在する細長い形状を有する剛性絶縁管と、
前記ヒューズ入口開口において前記スリーブにより取外し可能に支持され、前記エルボインターフェースの近傍において前記ヒューズに固着されるプラグとを有し、
前記プラグを前記スリーブから取外す際に、前記プラグと前記ヒューズが前記スリーブから前記ヒューズ入口開口を介して連係して取外し可能であることを特徴とするエルボヒューズホルダ。
【請求項２】
さらに、前記プラグを前記スリーブに解放可能に固定するための装置を含む請求項１に記載のエルボヒューズホルダ。
【請求項３】
前記装置が、前記スリーブに取り付けられた金属接点と、ねじ、ツイストロック、および外部クランプからなるグループから選択される解放可能固定部材とを含む請求項２に記載のエルボヒューズホルダ。
【請求項４】
前記プラグが接点を含み、前記ヒューズがフェルールを含み、前記プラグ接点とヒューズフェルールが着脱可能に接続されている請求項１に記載のエルボヒューズホルダ。
【請求項５】
前記プラグ接点と前記ヒューズフェルールが、止めねじ、エルボプローブねじクランプ、およびねじからなるグループから選択される接続部材によって着脱可能に接続されている請求項４に記載のエルボヒューズホルダ。
【請求項６】
前記スリーブが前記ケーブル入り口近傍においてケーブル導体接点を含む請求項４に記載のエルボヒューズホルダ。
【請求項７】
前記ケーブル導体接点が、ガータスプリング、ルーバ、ならびにピンおよびソケットからなる固定部材によって他のヒューズフェルールに接続されている請求項６に記載のエルボヒューズホルダ。
【請求項８】
前記ケーブル入口の近傍において前記スリーブが、様々な外径のケーブルを受容することができるケーブルアダプタを含む請求項１に記載のエルボヒューズホルダ。
【請求項９】
前記スリーブと前記エルボインターフェースが、ほぼ直角に接合されている請求項１に記載のエルボヒューズホルダ。
【請求項１０】
一方の端部にケーブルを内部に受容するためのケーブル入口を画定し、反対側の端部にヒューズ入口開口を画定する概して細長い絶縁性成形ゴムスリーブを含むハウジングと、
前記スリーブにある角度で接合され、外部装置との対合インターフェースを画定するエルボインターフェースと、
一端が前記スリーブ内に受容された前記ケーブルの導体に電気的に接続され、他端が前記エルボインターフェースに電気的に接続されているヒューズと、
前記スリーブの内部に配置され、前記ヒューズを内部で摺動自在に支持する剛性絶縁管と、
前記ヒューズ入口開口において前記スリーブにより取外し可能に支持され、前記エルボインターフェースの近傍において前記ヒューズに固着されるプラグとを有し、
前記プラグは前記エルボインターフェースの近傍において前記ヒューズと電気接続するプラグ接点を有し、前記プラグを前記スリーブから取外す際に、前記プラグと前記プラグ接点と前記ヒューズが前記スリーブから前記ヒューズ入口開口を介して連係して取外し可能であることを特徴とするエルボヒューズホルダ。
【請求項１１】
さらに、前記プラグを前記スリーブに解放可能に固定するための装置を含む請求項１０に記載のエルボヒューズホルダ。
【請求項１２】
前記ヒューズがフェルールを含み、前記プラグ接点とヒューズフェルールが着脱可能に接続されている請求項１１に記載のエルボヒューズホルダ。
【請求項１３】
一方の端部にケーブルを内部に受容するためのケーブル入口を画定し、反対側の端部にヒューズ入口開口を画定する概して細長い絶縁性成形ゴムスリーブを含むハウジングと、
前記スリーブにある角度で接合され、外部装置との対合インターフェースを画定するエルボインターフェースと、
一端に前記スリーブ内に受容された前記ケーブルの導体に電気的に接続された第一のフェルールを有し、他端に前記エルボインターフェースと電気的に接続された第二のフェルールを有し，前記第一フェルールをケーブル導体に固着されたケーブル導体接点内に着脱可能に受容するように形成したヒューズと、
前記スリーブの内部に配置され、前記ヒューズを内部で摺動自在に支持する剛性絶縁管と、
前記ヒューズ入口開口において前記スリーブにより取外し可能に支持され、前記エルボインターフェースの近傍において前記ヒューズに固着されるプラグとを有し、
前記プラグを前記スリーブから取外す際に、前記プラグと前記ヒューズが前記スリーブから前記ヒューズ入口開口を介して連係して取外し可能であることを特徴とするエルボヒューズホルダ。
【請求項１４】
前記絶縁管が前記第一フェルールから前記第二フェルールまで延在する長さを有する請求項１３に記載のエルボヒューズホルダ。
【請求項１５】
前記ケーブル入口の近傍において前記スリーブが、様々な外径のケーブルを受容することができるケーブルアダプタを含む請求項１４に記載のエルボヒューズホルダ。
【発明の詳細な説明】
【０００１】
【発明の属する技術分野】
本発明は電気的エルボに関し、詳細には、本発明は、電気的エルボ適用例においてヒューズを簡単に交換することができるエルボキャニスタヒューズホルダに関する。
【０００２】
【従来の技術及び解決すべき課題】
地下適用例に関して直列ヒューズを達成する方法がいくつかある。１つの方法は、ヒューズが干渉を伴ってゴムハウジング内に挿入される、またはヒューズがエポキシハウジング内に成形される絶縁成形ハウジングを提供する。ゴムハウジングの欠点は、ヒューズチェンジアウト手順を現場で実施するのが困難であることである。
【０００３】
他の適用例は、ヒューズが部品と一体になっているエポキシハウジングを使用するものであり、ヒューズを開いた後にハウジングが再使用できなくなっている。第２のタイプのエポキシハウジングは、ヒューズの交換を可能にするが、大きく、かさばるものである。どちらの場合にも、エポキシタイプハウジングは、追加のコネクタ構成要素を使用しない場合、ケーブルまたは装置への直接接続を提供しない。さらに、分裂して、または破裂して内圧を解放し、しかし粉砕はしないゴムハウジングと異なり、エポキシハウジングは破損時に砕ける傾向があり、堅い破片を飛ばし、それが損傷または外傷をもたらす恐れがある。
【０００４】
別の適用例は、ドライウェルキャニスタの使用にある。これは、外部の周りに油やＳＦ6ガスなど追加の絶縁を必要とするホルダである。典型的には、ホルダが、この絶縁媒質で充填されたタンク内に取り付けられる。ヒューズとケーブルの接続を提供するために、タンク壁および追加のコネクタに取り付けられた補助ブッシングを必要とする。
【０００５】
【発明の目的】
本発明の目的は、地下配電適用例のためにケーブルと電気装置の間に直列にヒューズを配置するための電気的に絶縁され、かつ遮蔽されたハウジングを備える新たなエルボキャニスタヒューズホルダを提供することによって、上述の難点および欠点をなくすることである。さらに、絶縁管がハウジング内部に含まれ、ヒューズが交換されるとき、エルボが再使用可能となるように端部プラグを介してヒューズを簡単に摺動して取り外せるようにする。
【０００６】
【課題を解決するための手段】
本発明の１つの好ましい特徴によれば、エルボヒューズホルダは、一方の端部にケーブルを内部に受容するためのケーブル入口を画定し、反対側の端部にヒューズ入口開口を画定する概して細長い絶縁性成形ゴムスリーブを含むハウジングを備える。エルボインターフェースが、スリーブにある角度で接合され、外部装置との対合インターフェースを画定する。ヒューズは、一端がスリーブ内に受容されたケーブルの導体に電気的に接続され、他端がエルボインターフェースに電気的に接続されている。剛性絶縁性管は、絶縁性スリーブの内部に配置され、ヒューズを管内部で摺動自在に支持する。本発明のさらなる特定の形態では、エルボヒューズホルダが、スリーブ内部に配置されたプラグを含み、そのプラグが、エルボインターフェースの近傍でヒューズに着脱可能に接続される。したがって、ヒューズと、プラグとが、ヒューズ入口開口を介してスリーブから取外し可能な１つのアセンブリとして接合されている。
【０００７】
【発明の実施の形態】
次に、本発明の上述およびその他の特徴、態様、および利点を、以下の詳細な説明、および特許請求の範囲で論ずる。これらは添付図面と共に考察すべきであり、図面中、複数の図を通して同一の参照文字が同様の要素を示す。図１に、ケーブル入口１２と、適切な装置ブッシング（図示せず）に対合するためのエルボインターフェース１４とを提供するエルボキャニスタヒューズホルダ１０を示す。ヒューズホルダ１０は、ケーブル１６と、ヒューズ１８と、装置ブッシングとの直接的な接続を提供する。
【０００８】
この設計は成形ゴムスリーブ２０から成るハウジング１９により構成され、その中央セクション内部直径が剛性絶縁管２２によって支持されている。ゴムスリーブ２０の一端は、様々なケーブル直径に適合するようにサイズに敏感な内径を有するケーブルアダプタ２４に合わせてサイズを取られている。ゴムスリーブ２０の他端は、取外し可能なプラグ２６に嵌合し、剛性管への接近を可能にしている。
【０００９】
ヒューズ１８は、ヒューズ外径と剛性管２２の内径との間にクリアランスを有してプラグ開口２０ａを通過することができる。プラグ２６は、プラグ接点２６ａにより、止めねじ２８を用いてヒューズ１８に取り付けられ、このヒューズ／プラグアセンブリを、プラグ２６にあるアイ３６に接続されているライブリネンツールによって挿入または取外しすることができる。プラグ２６は、スリーブ２０内に成形された金属接点でねじ２７によってゴムスリーブ２０に嵌合される、または外部クランプによって定位置に保持される。プラグ２６は、スリーブ２０と共に水分および電気シールを提供する。
【００１０】
好ましくはゴムスリーブ２０と一体になっているエルボインターフェース１４は、ヒューズ１８に対する外部装置のブッシング挿入部用の接続手段を提供する。ヒューズ１８の他端においては、一端がケーブル導体にクリンプされた雌接点３２を介してヒューズフェルール３１がケーブル１６に接続される。雌接点３２は中間ばね３３によってヒューズフェルール３１に接続される。ライブラインツールを用いたブッシング挿入部への組立て、およびそこからの取外しを可能にするプーリングアイ３０がスリーブ２０に存在する。
【００１１】
プラグ２６は、ねじ２７、ツイストロック、または外部クランプを含む様々な手段によってスリーブ２０に解放可能に固定することができる。
【００１２】
プラグ接点２６ａへのヒューズフェルール３４の接続は、止めねじ２８、エルボプローブねじクランプ、ねじ、あるいはヒューズ１８の重量を支持する任意の他の適切な分離可能接続手段によるものであってよい。ケーブルコネクタ接点へのヒューズフェルール３１の接続は、ガータスプリング、ルーバ、ピンおよびソケット、あるいはヒューズの挿入および取外しを可能にする任意の他の摺動接続であってよい。
【００１３】
デバイスは、ケーブル入口および２００Ａ負荷ブレーキエルボインターフェースを備えた状態で示されている。他のインターフェースを使用することもできる。２つ以上のインターフェースを有するユニットは、ケーブル入口を備えていても、備えていなくてもよい。
【００１４】
ゴムスリーブ２０は、ケーブルアダプタを使用せずにケーブルに直接サイズを合わせることができる。
【００１５】
本発明を上に詳細に説明してきたが、本発明の精神を逸脱することなく本発明を修正することができることが当業者には明らかであることをはっきりと理解されたい。本発明の精神および範囲を逸脱することなく、形態、設計、または構成の様々な変更を本発明に加えることができる。本発明の真の範囲は、頭記の特許請求の範囲に記載されている。
【図面の簡単な説明】
【図１】  本発明のエルボキャニスタヒューズホルダの断面図である。
【図２】  図１の線２−２に沿って取られたエルボインターフェース、ヒューズ、ヒューズホルダ、およびハウジングの断面図である。
【図３】  図１の線３−３に沿って取られたケーブル／ヒューズ接点の断面図である。
【図１】
0004549566.tif 000002
【図２】
0004549566.tif 000003
【図３】
0004549566.tif 000004